(57)【要約】      （修正有）【課題】海産魚の活魚水槽や陸上養殖を行う循環水槽において、薬剤に代わる安全で効果的なカビや寄生虫の駆除手段を提供する。【解決手段】海水に対してエピガロカテキンを０．５〜１．２ｐｐｍの重量比で混合し、この海水中で魚類を飼育する魚類の飼育方法であり、また、海水の塩分濃度が５〜３５‰である魚類の飼育方法である。【選択図】なし【特許請求の範囲】
【請求項１】
海水に対してエピガロカテキンを０．５〜１．２ｐｐｍの重量比で混合し、この海水中で魚類を飼育する魚類の飼育方法。
【請求項２】
前記海水の塩分濃度が５〜３５‰である請求項１に記載の魚類の飼育方法。
【請求項３】
前記海水を浄化する手段を備えた請求項１又は２に記載の魚類の飼育方法。
【発明の詳細な説明】
【技術分野】
【０００１】
本発明は、カビや寄生虫を駆除した魚類の飼育方法に関する。
【背景技術】
【０００２】
海産魚の活魚水槽や陸上養殖を行う循環水槽は、同じ海水を循環させて使用しているために、海水が酸化したり、外部から侵入した雑菌・寄生虫・カビ等が水槽の中で繁殖して海産魚に大きなダメージを与えたりしていた。特に、循環水槽での陸上養殖においては、海水を殺菌しても寄生虫を駆除することができないために、従来は劇薬のホルマリンを使用して寄生虫を駆除していた。
【０００３】
最近では、ホルマリンの使用禁止により、マリンサワー等の寄生虫駆除剤が使用されているが、特にふぐ養殖においては、寄生虫のヘテロボツリウムに対して余り効果がなく、安全で効果的な寄生虫の駆除手段がないのが現状である。
【０００４】
一方、サケ・マス等の淡水での養殖においては、薬剤に代わる魚類のミズカビ病を防止する組成物として、カテキン、ガロカテキン、ガロカテキンガレート、エピカテキン、エピカテキンガレート、エピガロカテキン、エピガロカテキンガレートからなるポリフェノール類を含有するミズカビ病防止組成物が知られている（例えば、特許文献１参照）。
【０００５】
【特許文献１】特開平８−５３３５３号公報
【発明の開示】
【発明が解決しようとする課題】
【０００６】
海産魚の活魚水槽や陸上養殖を行う循環水槽において、薬剤に代わる安全で効果的なカビや寄生虫の駆除手段を提供することが望まれていた。
【課題を解決するための手段】
【０００７】
本発明は、上記課題を解決するために、海水に対してエピガロカテキンを０．５〜１．２ｐｐｍの重量比で混合し、この海水中で魚類を飼育する魚類の飼育方法を提供するものである。
【０００８】
また、本発明の魚類の飼育方法は、前記海水の塩分濃度が５〜３５‰である。
【０００９】
また、本発明の魚類の飼育方法は、前記海水を浄化する手段を備えたものである。
【００１０】
また、本発明の魚類の飼育方法は、着色したエピガロカテキン含有物質を海水に投入混合し、着色された海水が透明になる毎に着色したエピガロカテキン含有物質を投入混合するようにしてある。
【発明の効果】
【００１１】
本発明の魚類の飼育方法は、海水に対してエピガロカテキンを０．５〜１．２ｐｐｍの重量比で混合し、この海水中で魚類を飼育することにより、海水において劇薬を使用することなくカビや寄生虫を確実に駆除することができ、安全で品質の良い魚類を飼育することができる効果がある。
【００１２】
また、本発明の魚類の飼育方法は、前記海水の塩分濃度が５〜３５‰であることにより、低塩分濃度の５‰から通常の海水濃度の３５‰において、カビや寄生虫を確実に駆除して、安全で品質の良い魚類を飼育することができる効果がある。
【００１３】
また、本発明の魚類の飼育方法は、前記海水を浄化する手段を備えたことにより、魚類の飼育用水槽の衛生状態を維持することができる効果がある。
【００１４】
また、本発明の魚類の飼育方法は、着色したエピガロカテキン含有物質を海水に投入混合し、着色された海水が透明になる毎に着色したエピガロカテキン含有物質を投入混合するようにしたことにより、海水の浄化手段によって減少したエピガロカテキンを補って、海水中のエピガロカテキン濃度を維持することができる。また、エピガロカテキン含有物質で着色された海水の色変化を観ることにより、エピガロカテキン濃度の減少を簡単に把握することができる効果がある。
【発明を実施するための最良の形態】
【００１５】
本発明に係る魚類の飼育方法は、海水に対してエピガロカテキンを０．５〜１．２ｐｐｍの重量比で混合し、この海水中で魚類を飼育するようにしてある。
【００１６】
一般的に、淡水魚の寄生虫の駆除はカテキンで可能であると言われているが、カテキンは金属イオンと結合し易いために、海水魚では殆ど試験が行われてこなかった。本願の発明者は、海水魚のカビや寄生虫に対するカテキンの効用を研究し、海水中にエピガロカテキンを一定濃度混合することにより、安全性と寄生虫駆除効果の両面を解決することができた。いわゆるカテキンには、カテキン、ガロカテキン、ガロカテキンガレート、エピカテキン、エピカテキンガレート、エピガロカテキン、エピガロカテキンガレートが含まれるが、海水中ではエピガロカテキンが寄生虫駆除効果を有することが分かった。
【００１７】
エピガロカテキンは、海水中の金属イオンと反応して、寄生虫に対して抗菌作用を有すると共に、海水の酸化防止効果を有する。また、エピガロカテキンは、カビに対しても殺菌作用があり、殆どの魚のカビをなくすことができる。一定濃度のエピガロカテキンを混合した海水中で海水魚を飼育すると、寄生虫は堅くなり死滅し、寄生虫の卵も堅くなり孵化しなくなる。また、魚はストレスを与えると粘液を出し、この粘液の主成分であるタンパク質とエピガロカテキンが結合して、海水の酸化を防止して海水を活性化させることができる。海水の塩分濃度に係わらず、一定の割合で水槽の中にエピガロカテキンを投入し、長くても３週間程度経過すると寄生虫の卵・幼虫・成虫も殆ど全て死滅し、駆除することができる。
【実施例１】
【００１８】
次に、表１に示す実施例について説明する。
本実施例は、循環システムの無い１トン水槽に１５‰の塩分濃度の海水を入れ、これに所定濃度のエピガロカテキンを加えてトラフグを飼育した。水槽には、７００〜８００ｇの成魚のトラフグを３０尾ずつ入れ、海水中のエピガロカテキン濃度を変えて比較実験を行った。エピガロカテキン含有物質には、和光純薬工業株式会社製のエピガロカテキン（エピガロカテキン含有量９９％）を使用した。
【００１９】
表１に示すように、海水１トンに対して９９％エピガロカテキンを０．１ｇ（エピガロカテキン濃度０．１ｐｐｍ）混合した水槽では、１週間後に寄生虫が１０％減少したが、寄生虫の駆除効果は余り向上しなかった。
【００２０】
一方、海水１ｔｏｎに対して９９％エピガロカテキンを０．５ｇ（エピガロカテキン濃度０．５ｐｐｍ）〜１．０ｇ（エピガロカテキン濃度１．０ｐｐｍ）混合した水槽では、２〜３日目に寄生虫の駆除効果が現れ始め、６〜７日目で寄生虫を完全に駆除することができた。また、カビの発生も抑止することができた。このことから、本発明に係る魚類の飼育方法は、海水中のエピガロカテキン濃度を０．５ｐｐｍ以上に保つことが好ましい。
【００２１】
また、水槽に塩分濃度５‰の海水と塩分濃度２５‰の海水を入れて、同じ実験を行ったが、海水の塩分濃度に影響を受けず同様の結果が得られた。従って、本飼育方法は、低塩分濃度の５‰から通常の海水濃度の３５‰までの海水において使用可能なことが分かった。
【００２２】
【表１】
2012005498.tif 000002
【実施例２】
【００２３】
次に、表２に示す実施例について説明する。
本実施例は、循環システムを備えた１トン水槽に１５‰の塩分濃度の海水を入れ、これに所定濃度のエピガロカテキンを加えてトラフグを飼育した。水槽には、７００〜８００ｇの成魚のトラフグを３０尾ずつ入れ、海水中のエピガロカテキン濃度を変えて比較実験を行った。エピガロカテキン含有物質には、太陽化学株式会社製のタンセノン１００Ｓ（エピガロカテキン含有量６０％）を使用し、本品は茶色に着色されている。
【００２４】
循環システムを備えた水槽では、海水の浄化に合わせてエピガロカテキン濃度が低下するから、エピガロカテキン濃度を維持する手段が必要となる。本実施例の飼育方法では、水槽に所定濃度のエピガロカテキンを投入混合し、茶色になった海水が目視で透明になった時（約３日後）に、初回と同量のエピガロカテキンを投入混合し、以後この作業を繰り返して海水中のエピガロカテキン濃度を維持した。
【００２５】
表２に示すように、海水１トンに対して６０％エピガロカテキンを０．５ｇ（エピガロカテキン濃度０．３ｐｐｍ）混合した水槽では、１週間以上経過しても寄生虫の駆除効果は現れなかった。
【００２６】
海水１トンに対して６０％エピガロカテキンを１．０ｇ（エピガロカテキン濃度０．６ｐｐｍ）混合した水槽では、４日目に寄生虫の駆除効果が現れ始め、９日目で寄生虫を完全に駆除することができた。また、カビの発生も抑止することができた。
また、海水１トンに対して６０％エピガロカテキンを１．５ｇ（エピガロカテキン濃度０．９ｐｐｍ）混合した水槽では、２日目に寄生虫の駆除効果が現れ始め、７日目で寄生虫を完全に駆除することができた。
【００２７】
一方、海水１トンに対して６０％エピガロカテキンを２．０ｇ（エピガロカテキン濃度１．２ｐｐｍ）混合した水槽では、２日目で３０％の寄生虫を駆除することができるが、２回目のエピガロカテキン投入後の４日目に約半数の魚が死亡した。２回目以降のエピガロカテキンの投入時に、海水中に僅かにエピガロカテキンが残存していると考えられることから、２回目以降に投入するエピガロカテキンの量を初回投入量の７〜８割にすることが好ましい。この手段により、海水に対してエピガロカテキンを１．２ｐｐｍの重量比まで混合することができる。
【００２８】
水槽内の海水は、ＰＨ８．３、アンモニア濃度０．１ｐｐｍ、亜硝酸濃度０．１ｐｐｍで変化なく、エピガロカテキン投入後も循環システムのバクテリアが機能していることが示された。エピガロカテキンは、循環水槽のバクテリアに全く影響を及ぼさないことが分かった。
【００２９】
また、水槽に塩分濃度５‰の海水と塩分濃度２５‰の海水を入れて、同じ実験を行ったが、海水の塩分濃度に影響を受けず同様の結果が得られた。従って、本飼育方法は、低塩分濃度の５‰から通常の海水濃度の３５‰までの海水において使用可能なことが分かった。
【００３０】
【表２】
2012005498.tif 000003